(57)【要約】【課題】モータの駆動軸を同一方向に回転させて、分離機能と非分離機能とを実現できる給紙装置を提供する。【解決手段】第一伝達機構２０２と第二伝達機構２０３はリタードローラ４２に駆動力を伝達可能である。可動機構１７１は、ギア１７２が第一伝達機構２０２に連結する第一位置と、ギア１７３が第二伝達機構２０３に連結する第二位置との間で移動する。リタードローラ４２は、可動機構１７１が第一位置にあり、第一モータＭ１の第一駆動軸１２１が第一回転方向に回転する場合に、反給紙方向に回転し、可動機構１７１が第二位置にあり、第一駆動軸１２１が第一回転方向に回転する場合に、給紙方向に回転する。ストッパ移動機構２３０は、第一駆動軸１２１が第一回転方向に回転する場合に、ストッパを開放位置に位置させ、第一駆動軸１２１が第二回転方向に回転する場合に、ストッパを閉鎖位置に位置させる。【選択図】図７
2016141509.tif 000002
【特許請求の範囲】
【請求項１】
第一回転方向と前記第一回転方向とは反対方向である第二回転方向とに第一駆動軸を回転可能な第一モータと、
給紙方向、及び前記給紙方向の反対方向である反給紙方向に回転可能なリタードローラと、
前記リタードローラに対向して配置された給紙ローラと、  前記リタードローラに連結され、前記リタードローラに駆動力を伝達可能であり、トルクリミッタを有する第一伝達機構と、
前記リタードローラに連結され、前記リタードローラに駆動力を伝達可能であり、第一ワンウェイクラッチを有する第二伝達機構と、
前記第一駆動軸の回転によって回転する第一ギアと第二ギアとを有し、前記第一ギアが前記第一伝達機構に連結する第一位置と、前記第二ギアが前記第二伝達機構に連結する第二位置との間で移動可能な可動機構と、
前記可動機構を前記第一位置と前記第二位置との間で移動させる移動部と、
前記リタードローラよりも前記反給紙方向側の搬送路を閉鎖する閉鎖位置と、前記搬送路を開放する開放位置との間で移動可能なストッパと、
前記ストッパを前記開放位置と前記閉鎖位置との間で移動可能に構成された移動機構と
を備え、
前記第一伝達機構は、前記可動機構が前記第一位置にあり、前記第一駆動軸が前記第一回転方向に回転する場合に、前記第一モータの駆動力によって前記リタードローラが前記反給紙方向に回転されるように構成され、
前記第二伝達機構は、前記可動機構が前記第二位置にあり、前記第一駆動軸が前記第一回転方向に回転する場合に、前記第一モータの駆動力によって前記リタードローラが前記給紙方向に回転されるように構成され、
前記移動機構は、
前記第一駆動軸が前記第一回転方向に回転する場合に、前記ストッパを前記開放位置に位置させ、
前記第一駆動軸が前記第二回転方向に回転する場合に、前記ストッパを前記閉鎖位置に位置させるように構成されたことを特徴とする給紙装置。
【請求項２】
第二駆動軸を有し、前記第二駆動軸が回転した場合に前記給紙方向に前記給紙ローラを回転させる第二モータを備え、
前記移動機構は、前記第一駆動軸が前記第二回転方向に回転する場合に、前記第一モータの駆動力によって前記ストッパを前記閉鎖位置に位置させるように構成されたことを特徴とする請求項１に記載の給紙装置。
【請求項３】
前記第二モータは、前記第一駆動軸が前記第一回転方向に回転する場合に、前記第二駆動軸を駆動して前記給紙ローラを前記給紙方向に回転させることを特徴とする請求項２に記載の給紙装置。
【請求項４】
前記第二モータは、
前記可動機構が前記第一位置に位置し、前記第一駆動軸が前記第一回転方向に回転する場合に、前記第二駆動軸を駆動して前記給紙ローラを前記給紙方向に回転させ、
前記可動機構が前記第二位置に位置し、前記第一駆動軸が前記第一回転方向に回転する場合に停止することを特徴とする請求項２に記載の給紙装置。
【請求項５】
前記移動機構は、前記ストッパを前記開放位置に向けて付勢する付勢部材と、第二ワンウェイクラッチとを有し、
前記移動機構は、
前記第一駆動軸が前記第一回転方向に回転する場合に、前記第二ワンウェイクラッチが空転することにより、前記付勢部材の付勢力によって前記ストッパを前記開放位置に位置させ、
前記第一駆動軸が前記第二回転方向に回転する場合に、駆動部からの駆動力によって前記ストッパを前記開放位置から前記閉鎖位置に移動させるように構成されたことを特徴とする請求項１から４のいずれか記載の給紙装置。
【請求項６】
前記第一モータが配置される第一筐体と、
前記第一筐体に対向して配置され、前記第一筐体との間において前記搬送路の一部を形成し、前記リタードローラと前記可動機構と前記ストッパとが配置される第二筐体と、
前記第一筐体に設けられた少なくとも１つのギアである第一筐体側ギアと、前記第二筐体に設けられ、前記第一筐体側ギアと噛み合う少なくとも１つのギアである第二筐体側ギアとを含み、前記第一モータの駆動力を前記可動機構に伝達するギア列と、
前記第一筐体に設けられ、前記第一筐体側ギアのうち前記第二筐体側ギアに噛み合う１つのギアである第一噛合ギアを前記第一筐体から露出させる第一開口部と、
前記第二筐体に設けられ、前記第二筐体側ギアのうち前記第一噛合ギアに噛み合う１つのギアである第二噛合ギアを前記第二筐体から露出させる第二開口部と
を備えたことを特徴とする請求項１から５のいずれかに記載の給紙装置。
【請求項７】
前記リタードローラよりも前記給紙方向の下流側に設けられ、前記第一駆動軸が前記第一回転方向に回転した場合に、前記第一モータの駆動力によって前記給紙方向に回転する第一搬送ローラと、
前記第一搬送ローラよりも前記下流側に設けられ、前記第一駆動軸が前記第一回転方向に回転した場合に、前記第一モータの駆動力によって前記給紙方向に回転する第二搬送ローラと
を備えたことを特徴とする請求項１から６のいずれかに記載の給紙装置。
【請求項８】
前記第一駆動軸が前記第二回転方向に回転した場合に空転する第三ワンウェイクラッチを有し、前記第二搬送ローラに前記第一モータの駆動力を伝達する第三伝達機構を備えたことを特徴とする請求項７に記載の給紙装置。
【請求項９】
前記移動部は、筐体に設けられた操作部であることを特徴とする請求項１から８のいずれかに記載の給紙装置。
【請求項１０】
前記移動部を制御し、前記可動機構を前記第一位置と前記第二位置との間で移動させる移動制御手段を備えたことを特徴とする請求項１から８のいずれかに記載の給紙装置。
【発明の詳細な説明】
【技術分野】
【０００１】
本発明は、給紙装置に関する。
【背景技術】
【０００２】
従来、給紙装置には、複数の紙媒体から１枚の紙媒体を分離して搬送する分離機能と、分離機能を作動させずに紙媒体を搬送する非分離機能とを有するものがある。例えば、特許文献１に記載の給紙装置においては、電動モータが一方向に回転されると、分離ローラが反給紙方向に回転され、分離機能が作動する。また、電動モータが他方向に回転されると、分離ローラが給紙方向に回転され、非分離機能が作動する。
【先行技術文献】
【特許文献】
【０００３】
【特許文献１】特開２００５−２３１８９５号公報
【発明の概要】
【発明が解決しようとする課題】
【０００４】
従来の給紙装置においては、１つの電動モータの一方向及び他方向への回転の切替によって、分離機能の作動と非分離機能の作動とが切り替えられる。このため、給紙装置は、電動モータの駆動軸を同一方向に回転させ、分離機能の作動と非分離機能の作動との両機能を実現可能に構成できなかった。
【０００５】
本発明の目的は、モータの駆動軸を同一方向に回転させて、分離機能と非分離機能とを実現できる給紙装置を提供することである。
【課題を解決するための手段】
【０００６】
本発明に係る給紙装置は、第一回転方向と前記第一回転方向とは反対方向である第二回転方向とに第一駆動軸を回転可能な第一モータと、給紙方向、及び前記給紙方向の反対方向である反給紙方向に回転可能なリタードローラと、前記リタードローラに対向して配置された給紙ローラと、前記リタードローラに連結され、前記リタードローラに駆動力を伝達可能であり、トルクリミッタを有する第一伝達機構と、前記リタードローラに連結され、前記リタードローラに駆動力を伝達可能であり、第一ワンウェイクラッチを有する第二伝達機構と、前記第一駆動軸の回転によって回転する第一ギアと第二ギアとを有し、前記第一ギアが前記第一伝達機構に連結する第一位置と、前記第二ギアが前記第二伝達機構に連結する第二位置との間で移動可能な可動機構と、前記可動機構を前記第一位置と前記第二位置との間で移動させる移動部と、前記リタードローラよりも前記反給紙方向側の搬送路を閉鎖する閉鎖位置と、前記搬送路を開放する開放位置との間で移動可能なストッパと、前記ストッパを前記開放位置と前記閉鎖位置との間で移動可能に構成された移動機構とを備え、前記第一伝達機構は、前記可動機構が前記第一位置にあり、前記第一駆動軸が前記第一回転方向に回転する場合に、前記第一モータの駆動力によって前記リタードローラが前記反給紙方向に回転されるように構成され、前記第二伝達機構は、前記可動機構が前記第二位置にあり、前記第一駆動軸が前記第一回転方向に回転する場合に、前記第一モータの駆動力によって前記リタードローラが前記給紙方向に回転されるように構成され、前記移動機構は、前記第一駆動軸が前記第一回転方向に回転する場合に、前記ストッパを前記開放位置に位置させ、前記第一駆動軸が前記第二回転方向に回転する場合に、前記ストッパを前記閉鎖位置に位置させるように構成されている。
【０００７】
この場合、可動機構が第一位置にあり、第一モータの第一駆動軸が第一回転方向に回転する場合に、第一モータの駆動力によってリタードローラが反給紙方向に回転され、分離機能が作動する。また、可動機構が第二位置にあり、第一駆動軸が第一回転方向に回転する場合に、第一モータの駆動力によってリタードローラが給紙方向に回転され、非分離機能が作動する。すなわち、第一駆動軸が同じ第一回転方向に回転した状態において、分離機能と非分離機能とを実現することができる。
【０００８】
前記給紙装置は、第二駆動軸を有し、前記第二駆動軸が回転した場合に前記給紙方向に前記給紙ローラを回転させ第二モータを備え、前記移動機構は、前記第一駆動軸が前記第二回転方向に回転する場合に、前記第一モータの駆動力によって前記ストッパを前記閉鎖位置に位置させるように構成されてもよい。
【０００９】
前記給紙装置において、前記第二モータは、前記第一駆動軸が前記第一回転方向に回転する場合に、前記第二駆動軸を駆動して前記給紙ローラを前記給紙方向に回転させてもよい。
【００１０】
前記給紙装置において、前記第二モータは、前記可動機構が前記第一位置に位置し、前記第一駆動軸が前記第一回転方向に回転する場合に、前記第二駆動軸を駆動して前記給紙ローラを前記給紙方向に回転させ、前記可動機構が前記第二位置に位置し、前記第一駆動軸が前記第一回転方向に回転する場合に停止してもよい。
【００１１】
前記給紙装置において、前記移動機構は、前記ストッパを前記開放位置に向けて付勢する付勢部材と、第二ワンウェイクラッチとを有し、前記移動機構は、前記第一駆動軸が前記第一回転方向に回転する場合に、前記第二ワンウェイクラッチが空転することにより、前記付勢部材の付勢力によって前記ストッパを前記開放位置に位置させ、前記第一駆動軸が前記第二回転方向に回転する場合に、駆動部からの駆動力によって前記ストッパを前記開放位置から前記閉鎖位置に移動させるように構成されてもよい。
【００１２】
前記給紙装置は、前記第一モータが配置される第一筐体と、前記第一筐体に対向して配置され、前記第一筐体との間において前記搬送路の一部を形成し、前記リタードローラと前記可動機構と前記ストッパとが配置される第二筐体と、前記第一筐体に設けられた少なくとも１つのギアである第一筐体側ギアと、前記第二筐体に設けられ、前記第一筐体側ギアと噛み合う少なくとも１つのギアである第二筐体側ギアとを含み、前記第一モータの駆動力を前記可動機構に伝達するギア列と、前記第一筐体に設けられ、前記第一筐体側ギアのうち前記第二筐体側ギアに噛み合う１つのギアである第一噛合ギアを前記第一筐体から露出させる第一開口部と、前記第二筐体に設けられ、前記第二筐体側ギアのうち前記第一噛合ギアに噛み合う１つのギアである第二噛合ギアを前記第二筐体から露出させる第二開口部とを備えてもよい。
【００１３】
前記給紙装置は、前記リタードローラよりも前記給紙方向の下流側に設けられ、前記第一駆動軸が前記第一回転方向に回転した場合に、前記第一モータの駆動力によって前記給紙方向に回転する第一搬送ローラと、前記第一搬送ローラよりも前記下流側に設けられ、前記第一駆動軸が前記第一回転方向に回転した場合に、前記第一モータの駆動力によって前記給紙方向に回転する第二搬送ローラとを備えてもよい。
【００１４】
前記給紙装置は、前記第一駆動軸が前記第二回転方向に回転した場合に空転する第三ワンウェイクラッチを有し、前記第二搬送ローラに前記第一モータの駆動力を伝達する第三伝達機構を備えてもよい。
【００１５】
前記給紙装置において、前記移動部は、筐体に設けられた操作部であってもよい。
【００１６】
前記給紙装置は、前記移動部を制御し、前記可動機構を前記第一位置と前記第二位置との間で移動させる移動制御手段を備えてもよい。
【図面の簡単な説明】
【００１７】
【図１】画像読取装置１の斜視図である。
【図２】第一筐体１１のカバーの内側の構造を示す斜視図である。
【図３】ストッパ４４が閉鎖位置にある給紙機構４０の一部を示す斜視図である。
【図４】図３に示す図から支持部材４６と給紙ローラ４１とを除いた斜視図である。
【図５】ストッパ４４が開放位置にある給紙機構４０の一部を示す図である。
【図６】図５に示す図から支持部材４６と給紙ローラ４１とを除いた斜視図である。
【図７】駆動機構４５の一部を示す斜視図である。
【図８】可動機構１７１が第一位置にある上側駆動機構４５１Ｂの一部を示す図である。
【図９】可動機構１７１が第二位置にある上側駆動機構４５１Ｂの一部を示す図である。
【図１０】ストッパ４４が閉鎖位置にある給紙機構４０の一部を示す右側面図である。
【図１１】ストッパ４４が開放位置にある給紙機構４０の一部を示す右側面図である。
【図１２】給紙ローラ駆動機構４５２の斜視図である。
【図１３】可動機構１７１、給紙ローラ４１、及びリタードローラ４２等を示す右側面図である。
【図１４】可動機構１７１を移動させる構成の変形例を示す図である。
【発明を実施するための形態】
【００１８】
［１．画像読取装置１の概略構成］
以下に本発明の実施形態について図面を参照して説明する。本発明は以下の実施形態に限定されるものではなく、様々な態様にて実施することが可能である。以下の説明においては、図１の上方、下方、左前方、右後方、左上方、右下方を、夫々、画像読取装置１の上方、下方、前方、後方、左方、右方とする。図１に示すように、画像読取装置１は、筐体１０、給紙トレイ２０、及び排出トレイ３０を備える。画像読取装置１は、筐体１０の内部に、図２、図３、及び図７に示す給紙機構４０、図２に示す画像読取部１４、図示しない電源ユニット、図１に示す制御部６０などを備える。
【００１９】
図１に示すように、筐体１０は、第一筐体１１と、第一筐体１１の上側に配置された第二筐体１２とを備える。第二筐体１２は、第一筐体１１の上面に対向して配置される。第二筐体１２の上端は、第一筐体１１との間において開口１１Ａを形成する。第一筐体１１の上面及び第二筐体１２の上面は、後側から前側へ向かうに従って下側に傾斜する。第二筐体１２の前端部は、第一筐体１１の前端部の上部に、左右方向に延びる回動軸心周りに回動可能に取り付けられている。これによって、第二筐体１２は、後端側が上方に持ち上がるように回動する。第二筐体１２は、第二筐体１２の上端が第一筐体１１に近接する図１に示す閉位置と、第一筐体１１から離間する図示しない開位置との間で回動可能である。
【００２０】
図１に示すように、第一筐体１１の後端上部には、給紙トレイ２０が設けられている。給紙トレイ２０は、左右方向に延びる回動軸心周りに回動可能である。給紙トレイ２０においては、上方を向く面が、紙媒体である用紙を載置するための載置面２１となっている。
【００２１】
排出トレイ３０は、第一筐体１１の前端下部から前方に引き出し可能に構成されている。排出トレイ３０においては、第一筐体１１から前方に引き出されたときに上方を向く面が、排出された用紙を載置するための載置面３１となっている。
【００２２】
第一筐体１１の上面と第二筐体１２の下面との間には、給紙トレイ２０から排出トレイ３０まで用紙が搬送される搬送路Ｐが設けられている。図２に示すように、第一筐体１１と第二筐体１２との間の搬送路Ｐは、後側から前側へ向かうに従って下側へ傾斜する。
【００２３】
図１に示すように、制御部６０は、第一筐体１１の底面に配置された基板上に実装されている。制御部６０は、画像読取装置１を制御するＣＰＵ、及びＣＰＵが画像読取装置１を制御するためのプログラムを記憶する記憶部等を含む。図２に示すように、画像読取部１４は、第一筐体１１の上面の前部に設けられている。画像読取部１４は、後述する第一搬送ローラ４５１Ｃ１，４５１Ｃ２と、第二搬送ローラ４５１Ｄ１，４５１Ｄ２との間に位置する。画像読取部１４は、制御部６０の制御によって搬送路Ｐを搬送される用紙の画像を読み取り、画像データを制御部６０に出力する。
【００２４】
［２．給紙機構４０の構成］
図２〜図１２を参照し、給紙機構４０について説明する。給紙機構４０は、第一筐体１１、及び第二筐体１２に配置されている。給紙機構４０は、給紙ローラ４１、リタードローラ４２、セットガイド４３、ストッパ４４、駆動機構４５、及び支持部材４６などを備えている。
【００２５】
図２に示すように、給紙ローラ４１は、第一筐体１１の上面の後部、且つ左右方向中央部に配置されている。図２及び図３に示すように、給紙ローラ４１は、互いに左右方向に離間して配置され、夫々、搬送路Ｐに露出する第一ローラ４１１と第二ローラ４１２とを備える。第一ローラ４１１及び第二ローラ４１２は、図１２に示す左右方向に延びる同一の回転軸４１４によって第一筐体１１に取り付けられている。
【００２６】
給紙方向は、給紙ローラ４１によって用紙が搬送される方向である。すなわち、給紙方向は、給紙ローラ４１よりも前側においては、後ろから前に向かって第一筐体１１の上面に沿う方向で定義される。第一ローラ４１１及び第二ローラ４１２が右側から見て反時計回りに回転すると、用紙が給紙方向に搬送される。
【００２７】
図２に示すように、支持部材４６は、第一ローラ４１１及び第二ローラ４１２の周囲に配置され、第一筐体１１に固定されている。支持部材４６は、図４に示す後述するセットガイド４３等を支持する部材である。図３及び図５に示すように、支持部材４６は、上側を向く面４６１Ａを有する。面４６１Ａには、第一開口４６１Ｂと、第二開口４６１Ｃと、第三開口４６１Ｆとが形成されている。第一開口４６１Ｂは、面４６１Ａの右部に、第二開口４６１Ｃは、面４６１Ａの左部に、第三開口４６１Ｆは、面４６１Ａの中央部に形成されている。給紙ローラ４１の第一ローラ４１１の上部は、第一開口４６１Ｂの内側に配置され、第二ローラ４１２の上部は、第二開口４６１Ｃの内側に配置されている。
【００２８】
図３に示すように、セットガイド４３は、第一セットガイド４３１と、第二セットガイド４３２とを備えている。第一セットガイド４３１及び第二セットガイド４３２は、支持部材４６に取り付けられている。第一セットガイド４３１は、第一ローラ４１１の右側に配置されている。第二セットガイド４３２は、第二ローラ４１２の左側に配置されている。
【００２９】
図４及び図６に示すように、第一セットガイド４３１は、第一部材４３１Ａと、第二部材４３１Ｂとを備える。第二セットガイド４３２は、第一部材４３２Ａと、第二部材４３２Ｂとを備える。第一部材４３１Ａ、第二部材４３１Ｂ、第一部材４３２Ａ、及び第二部材４３２Ｂは、夫々前後方向に延びる。第一部材４３１Ａ，４３２Ａの前後方向の中央部には、左右方向外側に突出する軸が形成される。軸は第一筐体１１に形成される穴部に挿通される。第一部材４３１Ａ，４３２Ａは、軸の軸心である回転軸心４３１Ｃ周りに回転する。
【００３０】
第一部材４３１Ａ，４３２Ａの前側には、左右方向に延びる軸４３３が配置されている。軸４３３は、支持部材４６に支持されている。第二部材４３１Ｂ，４３２Ｂは、軸４３３から上方に延び、その上端が後方に延びる。第二部材４３１Ｂ，４３２Ｂは、軸４３３の軸心である回転軸心４３１Ｉ周りに回転する。
【００３１】
セットガイド４３は、図３及び図４に示す第一ガイド位置と図５及び図６に示す第二ガイド位置との間で移動する。図３に示すように、第一ガイド位置は、第二部材４３１Ｂ，４３２Ｂの上面が、給紙ローラ４１よりも上側となる位置である。これにより、第一ガイド位置に位置するセットガイド４３に載置された用紙は、給紙ローラ４１と接触しない。図４に示すように、第一ガイド位置においては、第一セットガイド４３１の第一部材４３１Ａの回転軸心４３１Ｃよりも給紙方向側の端部４３１Ｄが、後述する閉鎖位置にある第一ストッパ４４１の下端４４１Ｃと接触する。また、第一ガイド位置においては、第二セットガイド４３２の第一部材４３２Ａの回転軸心４３１Ｃよりも給紙方向側の端部４３２Ｄが、後述する閉鎖位置にある第二ストッパ４４２の下端４４２Ｃと接触する。
【００３２】
図５に示すように、第二ガイド位置は、給紙ローラ４１の表面の少なくとも一部が、第二部材４３１Ｂ，４３２Ｂの上面よりも上側となる位置である。図５及び図６に示すように、第二ガイド位置においては、第一セットガイド４３１の端部４３１Ｄが、後述する開放位置にある第一ストッパ４４１の下端４４１Ｃから離間する。また、第二ガイド位置においては、第二セットガイド４３２の端部４３２Ｄが、開放位置にある第二ストッパ４４２の下端４４２Ｃから離間する。これにより、第二ガイド位置に位置するセットガイド４３に載置された用紙は、給紙ローラ４１と接触する。
【００３３】
ストッパ４４について説明する。ストッパ４４は、第二筐体１２に支持され、給紙ローラ４１及び支持部材４６の上方に配置されている。図３及び図４に示すように、ストッパ４４は、第一ストッパ４４１、第二ストッパ４４２、第三ストッパ４４３、及び支持部材４４４を備える。
【００３４】
支持部材４４４の前部の両端にはそれぞれ孔部が形成され、第二筐体１２に形成された図示しない突起が穴部に挿通される。支持部材４４４は、これら穴部を通過する左右方向に沿った回転軸心４４４Ａ周りに回転する。支持部材４４４の右端部には、突起４４４Ｂが形成されている。突起４４４Ｂは、支持部材４４４の右端部の下部から右方向に突出する。突起４４４Ｂは、上側を向く上面４４４Ｃを有する。
【００３５】
第一ストッパ４４１、第二ストッパ４４２、及び第三ストッパ４４３は、支持部材４４４において左右方向に沿って延びる延伸部４４６からそれぞれ下方に延びる。第一ストッパ４４１は、第一ローラ４１１の右側に配置されている。第二ストッパ４４２は、第二ローラ４１２の左側に配置されている。第三ストッパ４４３は、第一ローラ４１１と第二ローラ４１２との間に配置されている。第一ストッパ４４１、第二ストッパ４４２、及び第三ストッパ４４３は、夫々、反給紙方向を向く第二面４４１Ｂ，４４２Ｂ，４４３Ｂを有する。
【００３６】
ストッパ４４は、回転軸心４４４Ａ周りに回転することにより、図３及び図４に示す閉鎖位置と、図５及び図６に示す開放位置との間で移動可能である。ストッパ４４は、ストッパ移動機構２３０によって閉鎖位置と開放位置との間で移動する。ストッパ移動機構２３０については後述する。
【００３７】
図５及び図６に示すように、開放位置は、ストッパ４４が搬送路Ｐを開放する位置である。開放位置に配置された第一ストッパ４４１の下端４４１Ｃ、第二ストッパ４４２の下端４４２Ｃ、及び第三ストッパ４４３の下端４４３Ｃは、第一ローラ４１１の上部、及び第二ローラ４１２の上部よりも上方に位置する。従って、支持部材４６に載置された用紙は、各ストッパ４４１〜４４３の第二面４４１Ｂ、４４２Ｂ、４４３Ｂに当接することがなく、給紙方向への侵入が許可される。
【００３８】
図３及び図４に示すように、閉鎖位置は、ストッパ４４がリタードローラ４２よりも反給紙方向側の搬送路Ｐを閉鎖する位置である。閉鎖位置においては、ストッパ４４が給紙ローラ４１に接近する。ストッパ４４が閉鎖位置にある場合、第一ストッパ４４１の下端４４１Ｃは、面４６１Ａの第一開口４６１Ｂに挿入され、第二ストッパ４４２の下端４４２Ｃは、面４６１Ａの第二開口４６１Ｃに挿入され、第三ストッパ４４３の下端４４３Ｃは、面４６１Ａの第三開口４６１Ｆに挿入される。
【００３９】
閉鎖位置に配置された各ストッパ４４１〜４４３の下端４４１Ｃ、４４２Ｃ、４４３Ｃは、第一ローラ４１１の上端、及び第二ローラ４１２の上端よりも下側に位置する。従って、支持部材４６に載置された用紙は、各ストッパ４４１の第二面４４１Ｂ、４４２Ｂ、４４３Ｂのいずれかに当接し、給紙方向への侵入が規制される。
【００４０】
［３．駆動機構４５の構成の説明］
駆動機構４５は、図７に示す第一モータＭ１、リタードローラ駆動機構４５１、図１２に示す給紙ローラ駆動機構４５２、図７に示す搬送ローラ駆動機構４５３、及び図１０に示すストッパ移動機構２３０を備える。第一モータＭ１は、第二筐体１２に設けられている。第一モータＭ１からは第一駆動軸１２１が左右方向に延出する。第一駆動軸１２１の先端にはプーリ１２２が取り付けられている。プーリ１２２、プーリ１０２、及びプーリ１０３にはベルトＭ１Ｃが掛け渡されている。以下の説明においては、第一モータＭ１の第一駆動軸１２１の回転方向であって、左側から見た場合に時計回りに回転する方向を第一回転方向といい、第一回転方向の反対方向を第二回転方向という。
【００４１】
搬送ローラ駆動機構４５３について説明する。搬送ローラ駆動機構４５３は、後述する第二搬送ローラ４５１Ｄ１，４５１Ｄ２に第一モータＭ１の駆動力を伝達する機構である。搬送ローラ駆動機構４５３は、第一筐体１１に設けられている。搬送ローラ駆動機構４５３は、プーリ１０３、回転軸４５１Ｄ、及び第三ワンウェイクラッチ４５６を備えている。プーリ１０３は、左右方向に延びる回転軸４５１Ｄの左端部に取り付けられている。回転軸４５１Ｄは、プーリ１０３の回転に伴って回転可能である。回転軸４５１Ｄの左右方向中央部には、第二搬送ローラ４５１Ｄ１，４５１Ｄ２が取り付けられている。第二搬送ローラ４５１Ｄ１，４５１Ｄ２は、後述する第一搬送ローラ４５１Ｃ１，４５１Ｃ２よりも給紙方向の下流側に位置する。第一モータＭ１の第一駆動軸１２１が第一回転方向に回転すると、第二搬送ローラ４５１Ｄ１，４５１Ｄ２が給紙方向に回転する。第三ワンウェイクラッチ４５６は、回転軸４５１Ｄとプーリ１０３との間に設けられ、第一駆動軸１２１が第二回転方向に回転した場合に空転する。これによって、第一モータＭ１の第一駆動軸１２１が第二回転方向に回転されても、第二搬送ローラ４５１Ｄ１，４５１Ｄ２に第一モータＭ１の駆動力は伝達されない。
【００４２】
リタードローラ駆動機構４５１について説明する。リタードローラ駆動機構４５１は、リタードローラ４２を駆動する機構であり、プーリ１０２からリタードローラ４２に至る一連の機構である。リタードローラ駆動機構４５１は、第一筐体１１から第二筐体１２に亘って設けられている。プーリ１０２は、左右方向に延びる回転軸４５１Ｃの左端部に取り付けられている。回転軸４５１Ｃは、プーリ１０２の回転に伴って回転可能である。回転軸４５１Ｃの左右方向中央部には、第一搬送ローラ４５１Ｃ１，４５１Ｃ２が取り付けられている。第一搬送ローラ４５１Ｃ１，４５１Ｃ２は、給紙ローラ４１及びリタードローラ４２よりも給紙方向の下流側に設けられている。第一駆動軸１２１が第一回転方向に回転されると、第一モータＭ１の駆動力によって、第一搬送ローラ４５１Ｃ１，４５１Ｃ２が給紙方向に回転される。
【００４３】
回転軸４５１Ｃの右端部には、第一モータＭ１の駆動力を後述する可動機構１７１に伝達するギア列８０が連結されている。ギア列８０は、第一筐体側ギア８１と第二筐体側ギア８２とを含む。第一筐体側ギア８１は、第一筐体１１に設けられた少なくとも１つのギアである。本実施形態においては、第一筐体側ギア８１は、ギア１３１〜１３５の５つのギアである。第二筐体側ギア８２は、第二筐体１２に設けられ、第一筐体側ギア８１と噛み合う少なくとも１つのギアである。本実施形態においては、第二筐体側ギア８２は、ギア１３６，１３７の２つのギアである。
【００４４】
ギア１３１は、回転軸４５１Ｃの右端部に取り付けられている。ギア１３１はギア１３２に噛み合い、ギア１３２はギア１３３に噛み合う。ギア１３３はギア１３４に噛み合い、ギア１３４はギア１３５に噛み合う。ギア１３５はギア１３６に噛み合い、ギア１３６はギア１３７に噛み合う。
【００４５】
第一筐体１１には、第一筐体側ギア８１のうち第二筐体側ギア８２に噛み合う１つのギアであるギア１３５を露出させる図１に示す第一開口部８３が設けられている。第二筐体１２には、第二筐体側ギア８２のうちギア１３５に噛み合う１つのギアであるギア１３６を露出させる図１に示す第二開口部８４が設けられている。ギア１３５とギア１３６とは、第一開口部８３と第二開口部８４とを介して互いに噛み合う。
【００４６】
図７に示すように、ギア１３７は、左右方向に延びる回転軸１０８の右端部に取り付けられている。回転軸１０８の左端部には、ギア１３８が取り付けられている。ギア１３８は、可動機構１７１に連結されている。
【００４７】
可動機構１７１は、ギア１７２、ギア１７３、及び駆動軸１７４を含む。ギア１７２は、左右方向に延びる駆動軸１７４の右端部に取り付けられ、ギア１７３は駆動軸１７４の左端部に取り付けられている。ギア１３８は、ギア１７２に噛み合う。
【００４８】
可動機構１７１には、操作部１７５が取り付けられている。操作部１７５は、駆動軸１７４に固定されて設けられ、その先端が第二筐体１２に設けられた図１に示す開口１７９から、画像読取装置１の外側に露出している。すなわち、操作部１７５は、画像読取装置１の筐体１０に設けられている。操作部１７５は、可動機構１７１を後述する第一位置と第二位置との間で移動させる。
【００４９】
図７及び図８に示すように、可動機構１７１の後方には、駆動機構２０１が設けられている。駆動機構２０１は、リタードローラ４２、第一伝達機構２０２、及び第二伝達機構２０３を含む。リタードローラ４２は、左右方向に延びる回転軸２０４の中央部に配置され、給紙方向と反給紙方向とに回転可能である。リタードローラ４２は、左右方向に互いに離間する第一ローラ４２１と第二ローラ４２２とを含む。リタードローラ４２の第一ローラ４２１は、図２及び図３に示す給紙ローラ４１の第一ローラ４１１に対向し、リタードローラ４２の第二ローラ４２２は、給紙ローラ４１の第二ローラ４１２に対向する。
【００５０】
第一伝達機構２０２は、リタードローラ４２の右側に配置され、第二伝達機構２０３は、リタードローラ４２の左側に配置されている。中央部にリタードローラ４２を備える回転軸２０４の右部は、第一伝達機構２０２の一部であり、回転軸２０４の左部は、第二伝達機構２０３の一部である。第一伝達機構２０２は、トルクリミッタ２０５と、ギア２０６とを備えている。ギア２０６は、回転軸２０４の右端部に取り付けられている。トルクリミッタ２０５は、ギア２０６とリタードローラ４２との間に配置されている。
【００５１】
第二伝達機構２０３は、第一ワンウェイクラッチ２０７、ギア２０８、及びギア２０９を備えている。ギア２０８は、回転軸２０４の左端部に配置されている。ギア２０９はギア２０８に噛み合う。第一ワンウェイクラッチ２０７は、回転軸２０４とギア２０８との間に設けられている。これにより、ギア２０８が左側から見て時計回り方向に回転された場合、第一モータＭ１の駆動力は、ギア２０８から回転軸２０４に伝達されず、リタードローラ４２は回転しない。一方、ギア２０８が左側から見て反時計回り方向に回転されると、第一モータＭ１の駆動力は、ギア２０８から回転軸２０４へ伝達され、リタードローラ４２に駆動力が伝達される。これによって、リタードローラ４２が給紙方向に回転する。
【００５２】
可動機構１７１は、図８に示す第一位置と図９に示す第二位置との間で移動可能である。図８に示すように、第一位置は、ギア１７２が第一伝達機構２０２に連結する可動機構１７１の位置である。可動機構１７１が第一位置にあるとき、ギア１７２がギア２０６と噛み合う。ギア１７３は、第二伝達機構２０３に連結しない。図９に示すように、第二位置は、ギア１７３が第二伝達機構２０３に連結する可動機構１７１の位置である。可動機構１７１が第二位置にあるとき、ギア１７３がギア２０９と噛み合う。ギア１７２は第一伝達機構２０２に連結しない。
【００５３】
ストッパ移動機構２３０について説明する。ストッパ移動機構２３０は、ストッパ４４を開放位置と閉鎖位置との間で移動させる機構である。ストッパ移動機構２３０は、図７に示すギア１４１〜１４３、第二ワンウェイクラッチ１４８、図１０に示す回転軸１４５、付勢バネ１４７、カム１４６、及び駆動部としての第一モータＭ１を含む。図７に示すように、ギア１３６はギア１４１に噛み合い、ギア１４１はギア１４２と噛み合う。ギア１４２はギア１４３と噛み合う。
【００５４】
ギア１４３は、左右方向に延びる図１０に示す回転軸１４５の右端部に取り付けられている。回転軸１４５の左端には、カム１４６が取り付けられている。第一モータＭ１の駆動力は、ギア１３６及びギア１４１〜１４３を介して回転軸１４５へ伝達される。回転軸１４５の回転によって、カム１４６が回転する。ギア１４３と回転軸１４５との間には、図７に示す第二ワンウェイクラッチ１４８が配置されている。
【００５５】
回転軸１４５は、付勢バネ１４７により、右側から見て反時計回りに付勢されている。カム１４６は、ストッパ４４の突起４４４Ｂに上側から係合する。回転軸１４５の回転によりカム１４６が突起４４４Ｂを押し下げると、ストッパ４４が図１０に示す閉鎖位置になる。回転軸１４５の回転によりカム１４６が突起４４４Ｂから離間しようとすると、ストッパ４４が、付勢バネ１４７の付勢力により図１１に示す開放位置になる。
【００５６】
ストッパ移動機構２３０により、第一モータＭ１が第一回転方向に回転されると、第二ワンウェイクラッチ１４８が空転し、第一モータＭ１の駆動力は、ギア１４３から回転軸１４５へ伝達されない。この結果、ストッパ４４が、付勢バネ１４７の付勢力により図１１に示す開放位置になる。一方、第一モータＭ１が第二回転方向に回転されると、第一モータＭ１の駆動力は、ギア１４３から回転軸１４５へ伝達され、カム１４６に駆動力が伝達される。この結果、カム１４６が突起４４４Ｂを押し下げ、ストッパ４４が図１０に示す閉鎖位置になる。
【００５７】
給紙ローラ駆動機構４５２について説明する。給紙ローラ駆動機構４５２は、図１に示す第一筐体１１に設けられている。図１２に示すように、給紙ローラ駆動機構４５２は、給紙ローラ４１用の第二モータＭ２を備える。第二モータＭ２からは第二駆動軸１５１が右方に延出する。第二駆動軸１５１の先端には図示しないプーリが取り付けられている。プーリの後斜め下方には、ベルトＭ２Ｃで掛け渡されたプーリ１１１が配置されている。プーリ１１１に接続された図示しないギアはギア１１２に噛み合い、ギア１１２はギア１１３に噛み合う。ギア１１３はギア１１４に噛み合う。ギア１１４は、左右方向に延びる回転軸４１４の右部に取り付けられている。回転軸４１４の左部には、給紙ローラ４１が取り付けられている。なお、回転軸４１４には、図示しないワンウェイクラッチが設けられている。第二モータＭ２の回転による駆動力は、プーリ１１１、ギア１１２〜１１４を介して回転軸４１４に伝達される。回転軸４１４が回転されると給紙ローラ４１が給紙方向に回転する。
【００５８】
［４．画像読取装置１の動作］
画像読取装置１の動作の一例を説明する。画像読取装置１の電源が投入されると、図１に示す制御部６０が、第一モータＭ１を第二回転方向に回転させる。この結果、ストッパ４４が、開放位置から閉鎖位置に移動する。詳細には、図１１に示すように、第一モータＭ１に電力が供給されていない状態においては、ストッパ４４は開放位置に位置する。開放位置において、カム１４６は、回転軸１４５に取り付けられた付勢バネ１４７により反時計回りに付勢される。カム１４６の平面が、付勢バネ１４７により上方向に付勢されたストッパ４４の突起４４４Ｂの上面４４４Ｃに接する。第一モータＭ１が第二回転方向に回転すると、回転軸１４５から伝達された第一モータＭ１の駆動力により、カム１４６が回転し、図１０に示すように、カム１４６の曲面が突起４４４Ｂを押し下げる。この結果、ストッパ４４が図１０に示す閉鎖位置に移動する。
【００５９】
ストッパ４４は、開放位置から閉鎖位置に移動する場合に、図５及び図６に示す第二ガイド位置に位置していたセットガイド４３を、図３及び図４に示す第一ガイド位置に移動させる。すなわち、第一ストッパ４４１の下端４４１Ｃが下方に移動し、第一セットガイド４３１の給紙方向側の端部４３１Ｄを下側に押す。給紙方向側の端部４３１Ｄが下側に押されると、第一部材４３１Ａは、回転軸心４３１Ｃ周りに回転し、給紙方向とは反対側の端部４３１Ｅが上方向に移動する。端部４３１Ｅが上方向に移動すると、端部４３１Ｅは、第二部材４３１Ｂの前端部を上方向に移動させる。この際、第二部材４３１Ｂは回転軸心４３１Ｉ周りに回転する。同様に、第二ストッパ４４２の下端４４２Ｃが下方に移動し、第二部材４３２Ｂの前端部が上方向に移動する。この結果、セットガイド４３は、第一ガイド位置に位置する。第二部材４３１Ｂ，４３２Ｂの上面は給紙ローラ４１の上端よりも上側となる。
【００６０】
開位置にした給紙トレイ２０に用紙がセットされる。用紙の給紙方向の先端側が、第一ガイド位置にあるセットガイド４３の上面に載置された状態となる。用紙の先端は、閉鎖位置にあるストッパ４４に当接する。用紙の先端は、給紙ローラ４１には接触しない。また、用紙の先端は、ストッパ４４よりも給紙方向の下流側にあるリタードローラ４２には接触しない。
【００６１】
［４−１．画像読取装置１の分離搬送動作］
用紙の分離機能を作動させる場合について説明する。分離機能とは、複数の用紙を１枚ずつ分離して搬送する分離搬送を行う機能である。分離搬送が行われる場合、第二モータＭ２が駆動され、給紙ローラ４１が図１３の矢印９５１に示す給紙方向に回転する。また、ストッパ４４は開放位置に移動し、リタードローラ４２は図１３の矢印９５２に示す反給紙方向に回転する。また、第一搬送ローラ４５１Ｃ１，４５１Ｃ２と第二搬送ローラ４５１Ｄ１，４５１Ｄ２とは、給紙方向に回転する。以下、詳述する。
【００６２】
図８に示すように、図１に示す筐体１０の外側に露出する操作部１７５が左側に移動するように操作され、可動機構１７１が第一位置に位置するように設定される。これによって、第一モータＭ１の駆動力が、ギア１７２を介して第一伝達機構２０２に伝達可能な状態になる。制御部６０は、例えば、第二筐体１２に設けられた図示しないセンサによって、可動機構１７１が第一位置に設定されたことを検出する。これによって、制御部６０は、分離搬送を実行することを認識する。なお、図示しない操作ボタンまたは通信部を介して、分離搬送を実行する指示が入力されることで、制御部６０が分離搬送を実行することを認識してよい。用紙の画像を読み取る指示、すなわち給紙指示が、図示しない操作ボタンまたは通信部を介して制御部６０に入力されると、制御部６０は、第一モータＭ１の第一駆動軸１２１を第一回転方向に回転させる。第一駆動軸１２１が第一回転方向に回転すると、第一モータＭ１の駆動力は、ギア列８０及びギア１７２等を介して第一伝達機構２０２のギア２０６に伝達される。これによって、ギア２０６が回転し、図１３の矢印９５２に示すように、リタードローラ４２が反給紙方向に回転する。すなわち、リタードローラ４２は、可動機構１７１が第一位置にあり、第一駆動軸１２１が第一回転方向に回転する場合に、第一モータＭ１の駆動力によって反給紙方向に回転する。なお、１枚の用紙が給紙ローラ４１との間に位置する場合は、リタードローラ４２は、トルクリミッタ２０５により給紙方向に回転する給紙ローラ４１に連れ回りする。
【００６３】
第一駆動軸１２１が第一回転方向に回転すると、ストッパ移動機構２３０の第二ワンウェイクラッチ１４８は空転する。このため、第一モータＭ１の駆動力は、カム１４６に伝達されない。ストッパ４４は、付勢バネ１４７の付勢力によって、図１０に示す閉鎖位置から図１１に示す開放位置へ移動する。ストッパ４４が開放位置に移動すると、セットガイド４３の第一セットガイド４３１及び第二セットガイド４３２がストッパ４４の第一ストッパ４４１及び第二ストッパから解放される。セットガイド４３は、ストッパ４４から離間することにより、図３に示す第一ガイド位置から図５に示す第二ガイド位置に移動する。
【００６４】
図５に示すように、ストッパ４４が開放位置に移動し且つセットガイド４３が第二ガイド位置に移動すると、ストッパ４４と給紙ローラ４１との間の隙間が生じる。この隙間に用紙が侵入する。
【００６５】
図２に示す第一搬送ローラ４５１Ｃ１，４５１Ｃ２を含む搬送機構が、１枚ずつ分離された用紙を画像読取部１４に向けて搬送する。画像読取部１４は、用紙の画像を読み取る。画像読取部１４の出力信号は、制御部６０に伝達されて、画像データ化される。第二搬送ローラ４５１Ｄ１，４５１Ｄ２を含む搬送機構が、画像読取部１４において画像が読み取られた用紙を排出トレイ３０に排出する。ここで、第一搬送ローラ４５１Ｃ１，４５１Ｃ２は、給紙ローラ４１よりも用紙の搬送速度が大きい。しかし、図１２に示す回転軸４１４に図示しないワンウェイクラッチが設けられているので、分離搬送時において、用紙が、第一搬送ローラ４５１Ｃ１，４５１Ｃ２、および給紙ローラ４１によって搬送されると、給紙ローラ４１は、搬送される用紙に連れ回りする。この結果、用紙が破れる可能性を低減することができる。
【００６６】
給紙トレイ２０上の用紙が無くなったことを図示しないセンサからの信号により検知すると、制御部６０が、第一モータＭ１を制御して第一駆動軸１２１を第二回転方向に回転させ、ストッパ４４を開放位置から閉鎖位置へ移動させる。セットガイド４３は、閉鎖位置にあるストッパ４４に接触することにより、第二ガイド位置から第一ガイド位置に移動する。
【００６７】
なお、第一駆動軸１２１が第二回転方向に回転すると、リタードローラ４２は給紙方向に回転し、第一搬送ローラ４５１Ｃ１，４５１Ｃ２は反給紙方向に回転する。しかし、ストッパ４４とセットガイド４３とによって用紙が搬送されることが規制される。また、第一駆動軸１２１が第二回転方向に回転すると、第三ワンウェイクラッチ４５６が空転し、第二搬送ローラ４５１Ｄ１，４５１Ｄ２に駆動力が伝達されない。このため、第二搬送ローラ４５１Ｄ１，４５１Ｄ２は回転しない。故に、第二搬送ローラ４５１Ｄ１，４５１Ｄ２より下流側に移動した用紙が、誤って反給紙方向に搬送される可能性を低減できる。
【００６８】
［４−２．画像読取装置１の非分離搬送動作］
用紙の非分離機能を作動させる場合について説明する。非分離機能とは、用紙を分離することなく、給紙方向に搬送する非分離搬送を行う機能である。非分離搬送が行われる場合、ストッパ４４は開放位置に移動し、リタードローラ４２は図１３の矢印９５３に示す給紙方向に回転する。また、第一搬送ローラと第二搬送ローラとは、給紙方向に回転する。なお、第二モータＭ２は駆動しない。以下、非分離搬送について詳述する。
【００６９】
図９に示すように、図１に示す筐体１０の外側に露出する操作部１７５が右側に移動するように操作され、可動機構１７１が第二位置に位置するように設定される。これによって、第一モータＭ１の駆動力が、ギア１７３を介して第二伝達機構２０３に伝達可能な状態になる。制御部６０は、例えば、第二筐体１２に設けられた図示しないセンサによって、可動機構１７１が第二位置に設定されたことを検出する。これによって、制御部６０は、非分離搬送を実行することを認識する。なお、図示しない操作ボタンまたは通信部を介して、非分離搬送を実行する指示が入力されることで、制御部６０が非分離搬送を実行することを認識してよい。図示しない操作ボタンまたは通信部を介して制御部６０に給紙指示が入力されると、制御部６０は、第一モータＭ１の第一駆動軸１２１を第一回転方向に回転させる。第一駆動軸１２１が第一回転方向に回転すると、第一モータＭ１の駆動力は、ギア列８０、ギア１７２、及びギア１７３を介して第二伝達機構２０３のギア２０９に伝達する。ギア２０９の回転によってギア２０８が回転し、リタードローラ４２が給紙方向に回転する。すなわち、リタードローラ４２は、可動機構１７１が第二位置にあり、第一駆動軸１２１が第一回転方向に回転する場合に、第一モータＭ１の駆動力によって給紙方向に回転する。
【００７０】
分離搬送の場合と同様に、第一搬送ローラ４５１Ｃ１，４５１Ｃ２と、第二搬送ローラ４５１Ｄ１，４５１Ｄ２が給紙方向に回転する。ストッパ４４は、閉鎖位置から開放位置へ移動する。セットガイド４３は、第一ガイド位置から第二ガイド位置に移動する。
【００７１】
ストッパ４４が開放位置に移動し且つセットガイド４３が第二ガイド位置に移動すると、ストッパ４４と給紙ローラ４１との間の隙間が生じる。この隙間に用紙が侵入する。図１８の矢印９５２に示すように、リタードローラ４２が給紙ローラ４１と用紙を挟みながら給紙方向に回転して用紙を搬送路Ｐの下流側に搬送する。第二モータＭ２が駆動していないため、給紙ローラ４１には、第二モータＭ２の駆動力が伝達されない。しかし、給紙ローラ４１は、リタードローラ４２によって搬送される用紙との摩擦力、および図１２に示す回転軸４１４に設けられた図示しないワンウェイクラッチによって、図１３の矢印９５１に示す給紙方向につれ回りする。このワンウェイクラッチにより、給紙ローラ４１の回転は、第二モータＭ２の第二駆動軸１５１まで伝達されない。例えば、複数枚の用紙で構成された資料が搬送されようとしている場合においても、複数の用紙が分離されることなく、資料全体が搬送される。即ち、用紙の非分離搬送が行われる。
【００７２】
図２に示す第一搬送ローラ４５１Ｃ１，４５１Ｃ２を含む搬送機構が、用紙を画像読取部１４に向けて搬送する。画像読取部１４は、最も下の用紙の画像を読み取る。画像読取部１４の出力信号は、制御部６０に伝達されて、画像データ化される。ここで、第一搬送ローラ４５１Ｃ１，４５１Ｃ２は、リタードローラ４２よりも用紙の搬送速度が大きい。しかし、第一ワンウェイクラッチ２０７が設けられているので、非分離搬送時において、用紙が、第一搬送ローラ４５１Ｃ１，４５１Ｃ２、及びリタードローラ４２によって搬送されると、リタードローラ４２は、搬送される用紙に連れ回りする。この結果、用紙が破れる可能性を低減することができる。
【００７３】
第二搬送ローラ４５１Ｄ１，４５１Ｄ２を含む搬送機構が、画像読取部１４において画像が読み取られた用紙を排出トレイ３０に排出する。給紙トレイ２０上の用紙が無くなったことを図示しないセンサからの信号により検知すると、制御部６０が、第一モータＭ１を制御して第一駆動軸１２１を第二回転方向に回転させ、ストッパ４４を開放位置から閉鎖位置へ移動させる。セットガイド４３は、閉鎖位置にあるストッパ４４に接触することにより、第二ガイド位置から第一ガイド位置に移動する。
【００７４】
なお、分離搬送の場合と同様に、第一駆動軸１２１が第二回転方向に回転されると、リタードローラ４２は第一ワンウェイクラッチ２０７によって回転せず、第一搬送ローラ４５１Ｃ１，４５１Ｃ２は反給紙方向に回転する。しかし、ストッパ４４とセットガイド４３とによって用紙が搬送されることが規制される。また、第一駆動軸１２１が第二回転方向に回転すると、第三ワンウェイクラッチ４５６が空転し、第二搬送ローラ４５１Ｄ１，４５１Ｄ２に駆動力が伝達されない。このため、第二搬送ローラ４５１Ｄ１，４５１Ｄ２は回転しない。故に、第二搬送ローラ４５１Ｄ１，４５１Ｄ２より下流側に移動した用紙が、誤って反給紙方向に搬送される可能性を低減できる。
【００７５】
［５．実施形態の効果］
以上のように、本実施形態における画像読取装置１が動作する。本実施形態においては、可動機構１７１が第一位置にあり、第一モータＭ１が第一回転方向に回転する場合に、第一モータＭ１の駆動力によってリタードローラ４２が反給紙方向に回転され、分離機能が作動する。また、可動機構１７１が第二位置にあり、第一駆動軸１２１が第一回転方向に回転する場合に、第一モータＭ１の駆動力によってリタードローラ４２が給紙方向に回転され、非分離機能が作動する。すなわち、第一駆動軸１２１が同じ第一回転方向に回転した状態において、分離機能と非分離機能とを実現することができる。
【００７６】
また、第一駆動軸１２１が第一回転方向に回転する場合に、付勢バネ１４７の付勢力によってストッパ４４が開放位置に位置する。よって、分離機能及び非分離機能において搬送される用紙の移動がストッパ４４によって規制されない。また、第一駆動軸１２１が第二回転方向に回転する場合に、第一モータＭ１の駆動力によってストッパ４４が閉鎖位置に移動する。よって、分離機能及び非分離機能が作動しているタイミング以外のタイミングで、ストッパ４４が閉鎖位置に移動し、用紙の移動を規制する。このように、画像読取装置１は、第一駆動軸１２１が回転するタイミングにおいて、ストッパ４４の移動を制御することができる。
【００７７】
また、画像読取装置１には、第二モータＭ２が設けられ、第二モータＭ２による第二駆動軸１５１の駆動によって給紙ローラ４１を回転させることができる。また、ストッパ移動機構２３０は、第一駆動軸１２１が第二回転方向に回転する場合に、駆動部としての第一モータＭ１の駆動力によってストッパ４４を閉鎖位置に位置させることができる。すなわち、画像読取装置１は、第一モータＭ１が第一駆動軸１２１を第二回転方向に回転させる状態を、ストッパ４４の移動機能の作動に使用することができる。よって、分離機能と、非分離機能と、ストッパ４４を移動させる機能とを１つのモータによって実現することができる。
【００７８】
また、制御部６０は、第一駆動軸１２１が第一回転方向に回転する場合に、第二駆動軸１５１を駆動して、給紙ローラ４１を給紙方向に回転させるように第二モータＭ２を制御する。第二モータＭ２は、第一モータＭ１の第一駆動軸１２１が第一回転方向に回転する場合に、第二駆動軸１５１を駆動して給紙ローラ４１を給紙方向に回転させる。このため、第一モータＭ１の駆動によってリタードローラ４２が反給紙方向に回転する場合に、給紙ローラ４１が給紙方向に回転する。これによって、リタードローラ４２と給紙ローラ４１とを使用して、分離機能を実現することができる。
【００７９】
また、制御部６０は、可動機構１７１が第一位置に位置し、第一駆動軸１２１が第一回転方向に回転する場合に、第二駆動軸１５１を駆動して給紙ローラ４１を給紙方向に回転させる。第二モータＭ２は、可動機構１７１が第一位置に位置し、第一駆動軸１２１が第一回転方向に回転する場合に、給紙ローラ４１を給紙方向に回転させる。これによって画像読取装置１は、分離搬送を行うことができる。また、制御部６０は、可動機構１７１が第二位置に位置し、第一駆動軸１２１が第一回転方向に回転する場合に、第二駆動軸１５１を停止させる。第二モータＭ２は、可動機構１７１が第二位置に位置し、第一駆動軸１２１が第一回転方向に回転する場合に停止する。このため、リタードローラ４２が給紙方向に回転されて搬送される用紙と給紙ローラ４１との間の摩擦力によって、給紙ローラ４１が給紙方向につれ回りし、用紙を案内する。画像読取装置１は、第二モータＭ２が停止した状態で用紙を給紙方向に搬送できるので、第二モータＭ２を駆動する場合に比べて、消費電力を低減し、且つ、騒音を低減することができる。
【００８０】
また、ストッパ移動機構２３０は、第一駆動軸１２１が第一回転方向に回転する場合に、第二ワンウェイクラッチ１４８が空転することによって、付勢バネ１４７の付勢力によって、ストッパ４４を開放位置に位置させる。また、ストッパ移動機構２３０は、第一駆動軸１２１が第二回転方向に回転する場合に、駆動部としての第一モータＭ１の駆動力によって、ストッパ４４を開放位置から閉鎖位置に移動させる。このように、本実施形態の画像読取装置１は、付勢バネ１４７と第二ワンウェイクラッチ１４８によって、ストッパ４４を移動させることができる。
【００８１】
第一伝達機構２０２と第二伝達機構２０３のいずれかに第一モータＭ１の駆動力を伝達する機構を設けると、ギアの数が増えるが、本実施形態では、第一開口部８３と第二開口部８４とが、夫々１つのギア１３５，１３６を露出させる。このため、第一開口部８３と第二開口部８４とが夫々２つ以上のギアを露出させる場合に比べて、第一開口部８３と第二開口部８４との大きさを小さくすることができる。よって、例えば、第一開口部８３と第二開口部８４とから異物が混入する可能性を低減することができ、異物が分離機能及び非分離機能に影響を及ぼす可能性を低減できる。また、可動機構１７１は、第一位置と第二位置との間で移動するが、異物によって可動機構１７１が移動し難くなったり、可動機構１７１からリタードローラ４２への動力が伝達し難くなったりする可能性を低減できる。
【００８２】
また、第一搬送ローラ４５１Ｃ１，４５１Ｃ２と第二搬送ローラ４５１Ｄ１，４５１Ｄ２とは、夫々、第一駆動軸１２１が第一回転方向に回転した場合に、第一モータＭ１の駆動力によって給紙方向に回転する。このため、第一搬送ローラ４５１Ｃ１，４５１Ｃ２と第二搬送ローラ４５１Ｄ１，４５１Ｄ２とが設けられていない場合に比べて、第一モータＭ１が分離機能と非分離機能とを作動させる場合に、より確実に用紙を給紙方向に搬送できる。また、第一モータＭ１から可動機構１７１に至る動力の伝達経路に接続されて、第一搬送ローラ４５１Ｃ１，４５１Ｃ２と第二搬送ローラ４５１Ｄ１，４５１Ｄ２とを駆動する機構が設けられている。このため、可動機構１７１が第一位置と第二位置とのいずれに切り替えられても、第一搬送ローラ４５１Ｃ１，４５１Ｃ２と第二搬送ローラ４５１Ｄ１，４５１Ｄ２とを給紙方向に回転させることができる。
【００８３】
また、画像読取装置１には、搬送ローラ駆動機構４５３が設けられている。搬送ローラ駆動機構４５３は、第一駆動軸１２１が第二回転方向に回転した場合に空転する第三ワンウェイクラッチを有し、第二搬送ローラ４５１Ｄ１，４５１Ｄ２に第一モータＭ１の駆動力を伝達する。このため、第一駆動軸１２１が第一回転方向に回転した場合に、搬送ローラ駆動機構４５３によって第一モータＭ１の駆動力が伝達され、第二搬送ローラ４５１Ｄ１，４５１Ｄ２が回転する。よって、第一モータＭ１が分離機能と非分離機能とを作動させる場合に、より確実に用紙が給紙方向に搬送される。一方、第一駆動軸１２１が第二回転方向に回転した場合に、第三ワンウェイクラッチ４５６が空転する。このため、第二搬送ローラ４５１Ｄ１，４５１Ｄ２には、第一モータＭ１の駆動力が伝達されない。よって、第一駆動軸１２１が第二回転方向に回転した場合に、第二搬送ローラ４５１Ｄ１，４５１Ｄ２が反給紙方向に回転し、第二搬送ローラ４５１Ｄ１，４５１Ｄ２より下流側に移動した用紙が、誤って反給紙方向に搬送される可能性を低減できる。
【００８４】
また、図１に示すように、操作部１７５が筐体１０に設けられている。このため、操作部１７５が操作されることで、分離機能と非分離機能とを切り替えることができる。
【００８５】
上記実施形態において、画像読取装置１は本発明の「給紙装置」の一例である。操作部１７５は本発明の「移動部」及び「操作部」の一例である。ギア１７２は本発明の「第一ギア」の一例である。ギア１７３は本発明の「第二ギア」の一例である。ストッパ移動機構２３０は本発明の「移動機構」の一例である。ギア１３５は本発明の「第一噛合ギア」の一例である。ギア１３６は本発明の「第二噛合ギア」の一例である。搬送ローラ駆動機構４５３は、本発明の「第三伝達機構」の一例である。
【００８６】
なお、本発明は上記の実施形態に限定されるものではなく、種々の変更が可能である。例えば、非分離機能が作動する場合、第二モータＭ２が駆動されなかったが、これに限定されない。例えば、第一モータＭ１の駆動によってリタードローラ４２が給紙方向に回転する場合に、第二モータＭ２が駆動され、給紙ローラ４１が給紙方向に回転されてもよい。これによって、リタードローラ４２と給紙ローラ４１とを使用して、分離機能及び非分離機能を実現することができる。
【００８７】
また、本実施形態においては、第一駆動軸１２１が同じ第一回転方向に回転した状態において、分離機能と非分離機能とを実現することができるので、第一モータＭ１が第一駆動軸１２１を第二回転方向に回転する状態を、ストッパ４４の移動機能の作動に使用することができた。しかし、第一モータＭ１が第一駆動軸１２１を第二回転方向に回転する状態を、ストッパ４４の移動以外の機能に使用してもよい。
【００８８】
また、第一搬送ローラ４５１Ｃ１，４５１Ｃ２が第一モータＭ１の駆動によって回転したが、第二モータＭ２の駆動によって回転してもよい。また、第二搬送ローラ４５１Ｄ１，４５１Ｄ２が第一モータＭ１の駆動によって回転したが、第二モータＭ２の駆動によって回転してもよい。第三ワンウェイクラッチ４５６が設けられていたが、設けられなくてもよい。また、第一搬送ローラ４５１Ｃ１，４５１Ｃ２が設けられていたが、設けられなくてもよい。また、第二搬送ローラ４５１Ｄ１，４５１Ｄ２が設けられていたが、設けられなくてもよい。第二搬送ローラ４５１Ｄ１，４５１Ｄ２が設けられない場合、搬送ローラ駆動機構４５３が設けられなくてもよい。
【００８９】
また、第一開口部８３から１つのギア１３５が露出していたが、２以上のギアが露出してもよい。第二開口部８４から１つのギア１３６が露出していたが、２以上のギアが露出してもよい。また、筐体１０が第一筐体１１と第二筐体１２とに分けられなくてもよい。
【００９０】
また、ストッパ移動機構２３０は、付勢バネ１４７と、駆動部としての第一モータＭ１とによって、ストッパ４４を閉鎖位置と開放位置との間において移動させていたが、これに限定されない。例えば、駆動部として、第二モータＭ２が用いられてもよいし、第一モータＭ１と第二モータＭ２とは異なるモータが用いられてもよい。また、ストッパ４４が付勢バネ１４７によって移動していたが、第一モータＭ１及び第二モータＭ２等、種々のモータによっての駆動力によって移動してもよい。
【００９１】
また、可動機構１７１は、操作部１７５によって第一位置と第二位置との間で移動されていたが、これに限定されない。例えば、制御部６０の制御によって、可動機構１７１を第一位置と第二位置との間で移動させてもよい。この変形例について説明する。図１４に示すように、変形例に係る画像読取装置の可動機構１７１には、図７に示す操作部１７５が取り付けられていない。画像読取装置は、ソレノイド９００を備えている。可動機構１７１の左側には、ソレノイド９００の本体部９０１が配置され、右側には、ソレノイド９００のバネ９０３が配置されている。本体部９０１の内側には、左右方向に移動可能な軸部９０２が配置されている。軸部９０２は、本体部９０１から右方を向いている。本体部９０１は、制御部６０と電気的に接続されている。軸部９０２は、可動機構１７１のギア１７３と左右方向に対向している。バネ９０３は、可動機構１７１のギア１７２と左右方向に対向している。
【００９２】
図示しない操作ボタンまたは通信部を介して、分離搬送を実行する指示が入力されることで、制御部６０は分離搬送を実行することを認識し、可動機構１７１を第二位置から第一位置に移動させる。この場合、制御部６０は、ソレノイド９００に通電する。ソレノイド９００に通電されると、軸部９０２が本体部９０１から右方に突出し、ギア１７３を右方に押す。これによって可動機構１７１が第一位置に移動する。第二位置から第一位置に移動する可動機構１７１は、バネ９０３を右方に押す。これによってバネ９０３は圧縮される。
【００９３】
例えば、図示しない操作ボタンまたは通信部を介して、非分離搬送を実行する指示が入力されることで、制御部６０は非分離搬送を実行することを認識し、可動機構１７１を第一位置から第二位置に移動させる。この場合、制御部６０は、ソレノイド９００への通電を停止する。ソレノイド９００への通電が停止されると、可動機構１７１は、圧縮したバネ９０３の付勢力によって左方に移動する。これによって、可動機構１７１が第二位置に移動する。第一位置から第二位置に移動する可動機構１７１は、軸部９０２を左方に押す。これによって、軸部９０２が左方に移動し、本体部９０１の内側に退入する。このように、制御部６０は、ソレノイド９００を制御し、可動機構１７１を第一位置と第二位置との間で移動させ、分離機能と非分離機能とを切り替えることができる。該変形例においては、制御部６０は本発明の「移動制御手段」の一例である。ソレノイド９００が本発明の「移動部」の一例である。
【符号の説明】
【００９４】
１    画像読取装置
１０    筐体
１１    第一筐体
１２    第二筐体
４１    給紙ローラ
４２    リタードローラ
４４    ストッパ
６０    制御部
８０    ギア列
８１    第一筐体側ギア
８２    第二筐体側ギア
８３    第一開口部
８４    第二開口部
１２１    第一駆動軸
１４７    付勢バネ
１４８    第二ワンウェイクラッチ
１５１    第二駆動軸
１７１    可動機構
１７５    操作部
２０２    第一伝達機構
２０３    第二伝達機構
２０５    トルクリミッタ
２０７    第一ワンウェイクラッチ
２３０    ストッパ移動機構
４５１Ｃ１，４５１Ｃ２    第一搬送ローラ
４５１Ｄ１，４５１Ｄ２    第二搬送ローラ
４５３    搬送ローラ駆動機構
４５６    第三ワンウェイクラッチ
９００    ソレノイド
Ｍ１    第一モータ
Ｍ２    第二モータ
【図１】
2016141509.tif 000003
【図２】
2016141509.tif 000004
【図３】
2016141509.tif 000005
【図４】
2016141509.tif 000006
【図５】
2016141509.tif 000007
【図６】
2016141509.tif 000008
【図７】
2016141509.tif 000009
【図８】
2016141509.tif 000010
【図９】
2016141509.tif 000011
【図１０】
2016141509.tif 000012
【図１１】
2016141509.tif 000013
【図１２】
2016141509.tif 000014
【図１３】
2016141509.tif 000015
【図１４】
2016141509.tif 000016